(57)【要約】【課題】簡便な構造でありながら把持部を強化でき、かつ、荷役者等が持ちやすい容器を提供する。【解決手段】容器本体３及び蓋体４における多角形の対向する二辺に対応する側壁３２０，４２０での外面よりも更に外方に突出した把持部３２，４２を備え、容器本体側の把持部３２及び蓋体側の把持部４２は、容器本体３に蓋体４が装着された状態において高さ方向に組み合わされ、この組み合わされた状態で、容器本体側の把持部３２における下部に荷役者等の親指以外の指が掛けられ、蓋体側の把持部４２における上部に荷役者等の親指が掛けられるように構成されている。【選択図】図１
2014172636.tif 000002
【特許請求の範囲】
【請求項１】
発泡性合成樹脂製の容器本体及び蓋体を備え、容器本体は、多角形状の底壁と、該底壁の表側外周縁部に立設され高さ方向端部を容器本体の開口部とする枠状の本体側壁とを備え、
前記容器本体は本体側壁の高さ方向端部の全周に亘って形成された嵌合用凸部を備え、前記蓋体は裏側に全周に亘って形成され前記嵌合用凸部に対応する位置に形成された嵌合用凹部を備え、該嵌合用凸部と該嵌合用凹部とが互いに高さ方向で着脱自在に嵌合することで容器本体と蓋体とが着脱自在とされ、
前記容器本体及び前記蓋体における、前記多角形の対向する二辺に対応する側壁の外面よりも更に外方に突出した把持部を備え、
前記容器本体側の把持部及び前記蓋体側の把持部は、前記容器本体に前記蓋体が装着された状態において高さ方向に組み合わされ、この組み合わされた状態で、前記容器本体側の把持部における下部に荷役者等の親指以外の指が掛けられ、前記蓋体側の把持部における上部に荷役者等の親指が掛けられるように構成されている容器。
【請求項２】
前記容器本体側の把持部及び前記蓋体側の把持部は、前記容器本体及び前記蓋体における前記多角形の対向する二辺に対応する側壁の外面に、該外面の幅方向全長に亘って形成されている請求項１に記載の容器。
【請求項３】
前記嵌合用凸部のうち、平面視で前記容器本体側の把持部に沿う位置に備えられた嵌合用凸部は、他の位置に備えられた嵌合用凸部よりも幅方向寸法が大きい請求項１または２に記載の容器。
【請求項４】
前記本体側壁のうち下側部分は上側部分よりも厚みが大きい請求項１〜３のいずれかに記載の容器。
【請求項５】
前記発泡性合成樹脂は発泡ポリスチレンであり、
少なくとも前記容器本体を構成する発泡した合成樹脂粒子の発泡倍率が３０倍以下である、請求項１〜４のいずれかに記載の容器。
【発明の詳細な説明】
【技術分野】
【０００１】
本発明は、発泡性合成樹脂で形成された容器本体と蓋体とからなる容器に関する。
【背景技術】
【０００２】
従来、発泡性合成樹脂で形成された容器本体と蓋体とからなる容器は広く用いられている。この容器のうちで、「通い箱」として繰り返し使用されるものがある。この「通い箱」として使用される容器に収納される被搬送物として、例えば、給食センターから学校へと搬送される米飯入り個別容器や弁当容器が挙げられる。そして、この「通い箱」として使用される容器には、当該容器の搬送を容易にするために荷役者等が指を掛けることのできる把持部が形成されていることが多い。
【０００３】
ここで、被搬送物を収納した容器は大きな重量となる場合がある。このため、「通い箱」として使用される場合には把持部に大きな荷重がかかることで、短期のうちに把持部が破損してしまうことがあり問題であった。
【０００４】
この問題に対し、特許文献１及び２に記載の発明では、把持部に非発泡合成樹脂からなる補強材が取り付けられたことで、把持部を強化して破損しにくくしている。
【先行技術文献】
【特許文献】
【０００５】
【特許文献１】特開２００５−２０６２１０号公報
【特許文献２】特開２００６−１６８７４４号公報
【発明の概要】
【発明が解決しようとする課題】
【０００６】
ところが前記各文献の構成では、把持部を補強するための別部材を容器に対して取り付ける必要がある。このため、容器の製造コスト上昇の要因となり問題である。
【０００７】
なお、収納した被搬送物の重量が大きい場合には、荷役者等に与える負担を小さくするため、容器を持ちやすい構造をとすることが好ましいことは言うまでもない。
【０００８】
そこで前記の問題等に鑑み、本発明は、簡便な構造でありながら把持部を強化でき、かつ、荷役者等が持ちやすい容器を提供することを課題とする。
【課題を解決するための手段】
【０００９】
本発明は、発泡性合成樹脂製の容器本体及び蓋体を備え、容器本体は、多角形状の底壁と、該底壁の表側外周縁部に立設され高さ方向端部を容器本体の開口部とする枠状の本体側壁とを備え、前記容器本体は本体側壁の高さ方向端部の全周に亘って形成された嵌合用凸部を備え、前記蓋体は裏側に全周に亘って形成され前記嵌合用凸部に対応する位置に形成された嵌合用凹部を備え、該嵌合用凸部と該嵌合用凹部とが互いに高さ方向で着脱自在に嵌合することで容器本体と蓋体とが着脱自在とされ、前記容器本体及び前記蓋体における、前記多角形の対向する二辺に対応する側壁の外面よりも更に外方に突出した把持部を備え、前記容器本体側の把持部及び前記蓋体側の把持部は、前記容器本体に前記蓋体が装着された状態において高さ方向に組み合わされ、この組み合わされた状態で、前記容器本体側の把持部における下部に荷役者等の親指以外の指が掛けられ、前記蓋体側の把持部における上部に荷役者等の親指が掛けられるように構成されている容器である。
【００１０】
前記構成において、多角形の対向する二辺に対応する側壁から把持部が外方に突出し、容器本体側の把持部には荷役者等の親指以外の指が掛けられように構成されており、蓋体側の把持部には荷役者等の親指が掛けられるように構成されている。このため、側壁が外方に突出した把持部により補強される。また、被搬送物の重量が大きい場合でも荷役者等が容器を安定して持ち上げることができる。
【００１１】
また、前記容器本体側の把持部及び前記蓋体側の把持部は、前記容器本体及び前記蓋体における前記多角形の対向する二辺に対応する側壁の外面に、該外面の幅方向全長に亘って形成されているものとできる。
【００１２】
前記構成において、多角形の対向する二辺に対応する側壁の外面の幅方向全長に亘って把持部が形成されるため、側壁の厚みを前記幅方向全長に亘って大きくできる。これにより、該側壁の強度が確保され、荷役者等が重量物の収納された容器を持ち上げた際の該容器の変形を抑制できる。
【００１３】
また、前記嵌合用凸部のうち、平面視で前記容器本体側の把持部に沿う位置に備えられた嵌合用凸部は、他の位置に備えられた嵌合用凸部よりも幅方向寸法が大きいものとできる。
【００１４】
前記構成において、把持部に沿う位置に備えられた嵌合用凸部の幅方向寸法が大きいことにより、容器本体側の把持部の曲げ強度を向上できる。
【００１５】
また、前記本体側壁のうち下側部分は上側部分よりも厚みが大きいものとできる。
【００１６】
前記構成において、本体側壁のうち下側部分が上側部分よりも厚みが大きいことにより、容器のうちで特に被搬送物の重量がかかる容器本体の下部が補強される。
【００１７】
また、前記発泡性合成樹脂は発泡ポリスチレンであり、少なくとも前記容器本体を構成する発泡した合成樹脂粒子の発泡倍率が３０倍以下とできる。
【００１８】
前記構成において、発泡した合成樹脂粒子の発泡倍率が３０倍以下であることにより、少なくとも容器本体を全体的に硬く丈夫なものとできる。
【発明の効果】
【００１９】
本発明の容器では、側壁が外方に突出した把持部により補強される。また、被搬送物の重量が大きい場合でも荷役者等が容器を安定して持ち上げることができる。このため、本発明の容器は簡便な構造でありながら把持部が強化されており、かつ、荷役者等が持ちやすい。
【図面の簡単な説明】
【００２０】
【図１】本発明の一実施形態を表す容器の分解斜視図である。
【図２】同容器の容器本体と蓋体とを分離した状態の、図１のＡ−Ａ矢視における縦断面図である。
【図３】同容器の容器本体と蓋体とを分離した状態の、図１のＢ−Ｂ矢視における要部縦断面図である。
【発明を実施するための形態】
【００２１】
以下、本発明に係る容器の一実施形態について、図面を参照しつつ説明する。本実施形態の容器１に収納される被搬送物は、一例として、給食センターから学校へと搬送される米飯入り個別容器や弁当容器が挙げられる。
【００２２】
図１及び図２に示すように、容器１は、上端部に開口部２ａを有する発泡性合成樹脂製の容器本体３と、容器本体３の開口部２ａを閉じて容器本体３内をほぼ密封状態にするための発泡性合成樹脂製の蓋体４とを備える。発泡性合成樹脂としては、特に限定されないが、例えば発泡ポリスチレン、発泡ポリエチレン、発泡ポリプロピレン等の各種発泡性合成樹脂が利用できる。また、以下の説明は、容器１の短辺方向を左右方向とし、容器１の長辺方向を前後方向とする。また、上下方向については図示した状態を基準とする。
【００２３】
本実施形態の発泡性合成樹脂としては発泡ポリスチレンが用いられている。特に本実施形態の容器１には、炊きたてで熱い米飯を入れた個別容器が収納されることがあるため、耐熱樹脂を用いてもよい。また、発泡倍率は３０倍以下とされている。この発泡倍率であれば成型後の発泡ポリスチレンからなる構造物を硬く丈夫なものとできる。このため特に、被搬送物が収納される容器本体３につき、被搬送物の重量が大きい場合でも撓み等の発生を抑制できる。
【００２４】
容器本体３は、左右方向、前後方向のそれぞれにおいて対称形状である底壁３０と本体側壁３１とを備える。以下、底壁３０において、その上面は表面と称し、下面は裏面と称する。底壁３０は、四隅にアールを有する平面視略矩形の平板状に形成されている。なお、矩形以外の多角形（具体的には対向する二辺を有する多角形）とすることもできる。底壁３０の表面３０ｃは容器本体３の底面に相当し、被搬送物を支持する面である。底壁３０の表面３０ｃは平坦面である。
【００２５】
底壁３０の裏面３０ｄにおける外周部領域と、本体側壁３１の外面における下部領域との間に亘ってはアール部３ａが形成されている。このようにアール部３ａが容器本体３の角部に存在するため、荷役作業中に容器１同士が衝突した場合等でも、容器本体３に損傷が生じにくく、容器１を長持ちさせることができ、容器１を「通い箱」として好適に使用できる。
【００２６】
底壁３０の裏面３０ｄには、当該裏面３０ｄから更に下方に突出した突出部３０ｂが形成されている。この突出部３０ｂは底面視で略矩形枠状である。この突出部３０ｂは、底壁３０の裏面３０ｄに一体的に形成されている。また、突出部３０ｂの下面３００ｂは平坦面である。そして、この突出部３０ｂに囲まれる内周部領域３０ａは、表面側に凹んでいる平坦面である。
【００２７】
本体側壁３１は、底壁３０の表面３０ｃの外周縁部から上方に立ち上げられていることで、略矩形枠状に形成されている。本体側壁３１は、左右側壁３１０，３１０及び前後側壁３２０，３２０から構成されている。左右側壁３１０，３１０は、底壁３０の一対の長辺である左右の縁部から上方に立ち上げられ、左右方向で互いに対向している。前後側壁３２０，３２０は、底壁３０の一対の短辺である前後の縁部から上方に立ち上げられ、前後方向で互いに対向している。この本体側壁３１により、本体側壁３１の高さ方向端部である上端面が開口部２ａに一致する略直方体状の空間が形成される。また、本体側壁３１の高さ方向端部の全周に亘って嵌合用凸部５が形成されている。
【００２８】
また、本体側壁３１（左右側壁３１０，３１０及び前後側壁３２０，３２０）は、薄肉の本体側壁上部３１１と厚肉の本体側壁下部３１２とから一体に構成されており、前記各部３１１，３１２の境界には段差３１３が存在する。この構成により、全周に亘って周回した本体側壁下部３１２によって本体側壁３１における下側部分の厚みを大きくできるため、容器本体３のうちで特に被搬送物の重量がかかる下部が補強され、撓み等の発生を抑制できる。
【００２９】
また、被搬送物として、例えば釜飯容器のような鍔状の突出部を有する形状の容器を収納する際にも、当該突出部を段差３１３より上方に位置させることにより、本体側壁３１の内面に釜飯容器等が干渉することなく、釜飯容器等を容器１に収納できる。
【００３０】
前後側壁３２０，３２０のそれぞれ前後方向外面（以下単に、外面と称する）には、荷役者等が指を掛けて容器１を把持するための本体側把持部３２が形成されている。なお、容器本体３が矩形以外の多角形である場合には、当該多角形の対向する二辺に対応する側壁に本体側把持部３２が形成される。
【００３１】
この本体側把持部３２は、前後側壁３２０，３２０のうち上部が該前後側壁３２０，３２０の幅方向（左右方向）全長に亘り、該側壁の外面よりも更に外方に突出して形成されており、その下部に荷役者等の指（具体的には親指以外の指）が掛けられる。本実施形態では、本体側把持部３２における前後側壁３２０，３２０の外面からの突出寸法は２０mm〜４０mmで形成され、本体側把持部３２の高さ寸法は２５mm〜５０mmで形成される。前後側壁３２０，３２０の外面から本体側把持部３２が外方に突出したことにより、この本体側把持部３２の分、前後側壁３２０，３２０の厚みが大きくなったことになる。このため、前後側壁３２０，３２０の強度が確保される。また、本体側把持部３２が前記寸法とされたことにより、容器本体３に蓋体４が装着された状態において、本体側把持部３２と、この本体側把持部３２に高さ方向に組み合わされている蓋体側把持部４２（後述）とに荷役者等の指を同時に掛けることができる。よって、容器１に重量物が収納されていても、各把持部３２，４２に対して荷役者等の指が上下から添えられることにより、荷役者等が容器１を安定して持ち上げることができる。
【００３２】
なお本実施形態では、荷役者等の指を掛けやすくするため、図２に示すように、本体側把持部３２の幅方向中央における、前後側壁３２０，３２０の外面に隣接する位置の下面に指掛け凹部３４が形成されている。この指掛け凹部３４により、本体側把持部３２に指を掛けやすくできることから、本体側把持部３２の下面が平坦面である場合に比べ、前後側壁３２０，３２０からの本体側把持部３２の突出寸法を小さくできる。
【００３３】
左右側壁３１０，３１０の外面は、下方側ほど（底壁３０の表面３０ｃ側に近付くほど）内側となる傾斜面に形成されている。また、左右側壁３１０，３１０の厚み方向内面（以下単に、内面と称する）は、下方側ほど内側となる傾斜面に形成されている。このような傾斜面は、製造金型の抜き勾配によって得られ、製造金型に対する容器本体３の離型性を確保するために、製造金型によって傾斜して形成される。前後側壁３２０，３２０に関しても同様である。なお、各側壁３１０，３２０の外面における傾斜面、及び、各側壁３１０，３２０のうち側壁本体上部３１１の内面における傾斜面の傾斜角度は１°に設定されているため、図面上では把握でき難い。また、各側壁３１０，３２０のうち側壁本体下部３１２の内面における傾斜面の傾斜角度は、各側壁３１０，３２０の他の面（製造金型の抜き勾配によって得られる面）よりも大きく形成されている。
【００３４】
本体側把持部３２の表面における外側縁部には開蓋用凹部３３が形成されている。開蓋用凹部３３は、図示のように斜め外方を向いた斜面を有しており、容器本体３に装着された蓋体４における蓋体側把持部４２の裏面側に形成された把持用凹部４３に指を掛けて容器本体３に対して蓋体４を持ち上げる際に指先が入り込む部分である。なお、容器本体３における前記開蓋用凹部３３と、蓋体４における把持用凹部４３とは、いずれか一方のみが形成されていてもよい。
【００３５】
嵌合用凸部５は、本体側壁３１の高さ方向端部に位置する水平面である上端面３１ａから、本体側壁３１の内側縁部の全周に亘って一段高く形成されており、外方を向いた略垂直面である側壁５１と、水平面である上面５２とを備える。前後側壁３２０，３２０上の各嵌合用凸部５，５の幅方向寸法は同寸法であり、厚み５ａとされている。同様に、左右側壁３１０，３１０上の各嵌合用凸部５，５の幅方向寸法は同寸法であり、厚み５ｂとされている。なお、この嵌合用凸部５は、本実施形態では本体側壁３１の内側縁部に形成されているが、本発明における嵌合用凸部５の形成位置はこれに限定されず、例えば本体側壁３１の幅方向中央に形成されていてもよい。
【００３６】
この嵌合用凸部５は、前後側壁３２０，３２０上の嵌合用凸部５の厚み５ａ（図１、図２参照）が、左右側壁３１０，３１０上の嵌合用凸部５の厚み５ｂ（図１、図３参照）よりも大きく形成されている。つまり、本体側把持部３２に沿う位置に備えられた嵌合用凸部５は、他の位置に備えられた嵌合用凸部５よりも幅方向寸法が大きい。このため、幅方向寸法が大きい嵌合用凸部５により本体側把持部３２の上部が補強されることにより、本体側把持部３２の曲げ強度を向上できる。
【００３７】
蓋体４は、左右方向、前後方向のそれぞれにおいて対称形状である天壁４０と蓋体側壁４１とを備える。以下、天壁４０において、上面は表面と称し、下面は裏面と称する。天壁４０は四隅にアールを有する平面視略矩形の平板状に形成されている。なお、矩形以外の多角形（具体的には対向する二辺を有する多角形）とすることもできる。天壁４０の表面４０ａは平坦面である。また、天壁４０の裏面４０ｂは、表面４０ａと平行な平坦面である。
【００３８】
蓋体側壁４１は、天壁４０の裏面４０ｂの外周縁部から下方に垂れ下げられていることで、略矩形枠状に形成されている。蓋体側壁４１は、左右側壁４１０，４１０及び前後側壁４２０，４２０から構成されている。左右側壁４１０，４１０は、天壁４０の一対の長辺である左右の縁部から下方に垂れ下げられ、左右方向で互いに対向している。前後側壁４２０，４２０は、天壁４０の一対の短辺である前後の縁部から下方に垂れ下げられ、前後方向で互いに対向している。
【００３９】
蓋体側壁４１は、天壁４０に直接的に連続している。また、蓋体側壁４１（左右側壁４１０，４１０及び前後側壁４２０，４２０）は嵌合用凹部６を備えている。
【００４０】
前後側壁４２０，４２０のそれぞれ前後方向外面（以下単に、外面と称する）には、荷役者や容器１のユーザー等が親指を当接させることで、安定して容器１を持ち上げることができる蓋体側把持部４２が形成されている。なお、蓋体４が矩形以外の多角形である場合には、当該多角形の対向する二辺に対応する側壁に蓋体側把持部４２が形成される。
【００４１】
この蓋体側把持部４２は、前後側壁４２０，４２０のうち下部が該前後側壁４２０，４２０の幅方向（左右方向）全長に亘り、該側壁よりも外方に突出して形成されており、その上部（本実施形態では上面４２ａ）に荷役者等の指（具体的には親指）が当接する。本実施形態では、蓋体側把持部４２における、容器本体３に蓋体４が装着された状態での容器本体３の前後側壁３２０，３２０の外面からの突出寸法は２０mm〜４０mmで形成され、蓋体側把持部４２の高さ寸法は２０mm〜４５mmで形成される。図３と図２を見比べると理解できるが、前後側壁４２０，４２０から蓋体把持部４２が外方に突出したことにより、この蓋体把持部４２の分、前後側壁４２０，４２０の厚みが左右側壁４１０，４１０と比較して大きい。このため、前後側壁４２０，４２０の強度が確保される。また、蓋体側把持部４２が前記寸法とされたことにより、容器本体３に蓋体４が装着された状態において、前記本体側把持部３２と蓋体側把持部４２とに荷役者等の指を同時に掛けることができる。
【００４２】
また、この蓋体側把持部４２は、容器本体３に蓋体４が装着された際に本体側把持部３２に対して高さ方向に組み合わされるため、本体側把持部３２に沿って当接する。この際、荷役者等が各把持部３２，４２を同時に把持することにより、荷役者等の指が本体側把持部３２を上方に押圧し、これと同時に蓋体側把持部４２を下方に押圧する。これにより各把持部３２，４２が密着することから、蓋体側把持部４２が本体側把持部３２を補強することになり、各把持部３２，４２の組み合わせ状態における曲げ強度を向上できる。
【００４３】
把持用凹部４３は、蓋体側把持部４２の裏面における外側縁部に形成された凹部である。この把持用凹部４３は、容器本体３に装着された蓋体４に指を掛け、容器本体３に対して蓋体４を持ち上げる際に荷役者等の指先を引っ掛けることのできる部分である。この把持用凹部４３は、幅（左右）寸法が開蓋用凹部３３と等しく、図２に示すように、蓋体側把持部４２の裏側角部が垂直面及び水平面によって切り欠かれた形状となっている。
【００４４】
嵌合用凹部６は、容器本体３の嵌合用凸部５と着脱自在に嵌合される凹部である。この嵌合用凹部６は、前記嵌合用凸部５に対応する位置に、蓋体側壁４１の全周に沿って形成されている。なお、本実施形態の嵌合用凹部６は、蓋体側壁４１の内側縁部が天壁４０の裏面４０ｂに至るまで全て切り欠かれたようにして形成されているため、嵌合用凹部６と天壁４０の裏面４０ｂとの間に段差等の境目がないが、これに限定されず、蓋体側壁４１の一部に嵌合用凹部６が形成されていてもよい。
【００４５】
嵌合用凸部５と嵌合用凹部６とが互いに本体側壁３１及び蓋体側壁４１の高さ方向で着脱自在に嵌合することで容器本体３と蓋体４とが着脱自在とされる。嵌合用凸部５と嵌合用凹部６とを嵌合させることで、嵌合用凸部５と嵌合用凹部６とが密閉される（容器本体３と蓋体４とが密閉される）とともに、容器本体３の開口部２ａが蓋体４で覆われる。
【００４６】
この嵌合用凹部６は、略垂直面である側壁６１と、水平面である上面６２とを備える。ただし本実施形態では、本体側壁３１の内側縁部に形成された嵌合用凸部５に対応する位置に、天壁４０の裏面４０ｂに至るように嵌合用凹部６が形成されているため、この上面６２と天壁４０の裏面４０ｂとは段差のない連続面（平坦面）となっている。嵌合用凸部５と嵌合用凹部６とが嵌合した際に、側面６１は嵌合用凸部５の側壁５１に当接する。このため、嵌合用凸部５と嵌合用凹部６とをほぼ隙間無く嵌合させることができる。なお、側壁６１の高さ寸法は嵌合用凸部５の側壁５１の高さ寸法よりもやや大きく形成されているため、前記嵌合の際、嵌合用凹部６の下面６２と嵌合用凸部５の上面５２との間には隙間が保たれる。このため前記嵌合の際に、水平面である本体側壁３１の上端面３１ａと、同じく水平面である蓋体側壁４１の下端面４１ａとを隙間無く当接させることができる。
【００４７】
そして蓋体４は、天壁４０の表面４０ａにおける矩形縁部に、補強用凸部４０１を備える。補強用凸部４０１は、天壁４０の矩形周方向に連続して設けられている。この補強用凸部４０１は、表面４０ａから突出するよう天壁４０に一体的に形成されている。この補強用凸部４０１は、全長に亘って同幅に形成されている。また、補強用凸部４０１の上面４０１ａは平坦面であり、全長に亘って表面４０ａから等しい高さに設定されている。本実施形態では、この補強用凸部４０１の外側角部にアールが形成されている。これにより、前記容器本体３のアール部３ａと同じく、荷役作業中に容器１同士が衝突した場合等でも、蓋体４に損傷が生じにくく、容器１を長持ちさせることができる。そして、容器１の全体として丸味を帯びた外観とでき、デザイン上の統一感を持たせることができる。
【００４８】
本実施形態では、補強用凸部４０１の表面４０ａからの突出高さは、容器本体３における突出部３０ｂの裏面３０ｄからの突出高さとほぼ等しい。そして、補強用凸部４０１に囲まれた表面４０ａの大きさは、容器本体３における突出部３０ｂの大きさよりも大きい。これにより、蓋体４の上方に別の容器１の容器本体３が位置するようにして、複数の容器１〜１を上下方向に積み重ねることができる。
【００４９】
前記構成の容器１は、荷役者等によって容器本体３の開口部２ａから、例えば、学校給食用の米飯入り個別容器や弁当容器等の被搬送物が収納された後に、容器本体３に蓋体４が装着されることで開口部２ａが閉じられ（容器１の内部空間が外部に対してほぼ密封され）、容器１はこの状態で搬送に供される。容器１の内部空間への被搬送物の配置は種々に行うことができ、例えば複数の被搬送物が積み重ねられてもよいし、複数の被搬送物間にダンボール製等の間仕切り部材を配置してもよい。
【００５０】
容器本体３に蓋体４を装着するには、容器本体３側に形成されている嵌合用凸部５に、その上方から蓋体４側に形成した嵌合用凹部６を位置合わせするようにして、嵌合用凸部５と嵌合用凹部６とを嵌合させる。
【００５１】
容器１（容器本体３及び蓋体４）は発泡性合成樹脂製であるため、緩衝作用により荷役時や搬送時の衝撃が米飯入り個別容器や弁当容器等に及ぶことを抑制できる。また、保温作用により米飯入り個別容器や弁当容器等を保温しつつ搬送できる。また、各把持部３２，４２は、容器本体３に蓋体４が装着された状態において、本体側把持部３２における下部（本実施形態では指掛け凹部３４）に荷役者等の親指以外の指が掛けられ、蓋体側把持部４２における上部（上面４２ａ）に荷役者等の親指が掛けられるように構成されているため、荷役者等が容器１を安定して持ち上げることができる。
【００５２】
そして前記構成の容器１は、前後側壁３２０，４２０の幅方向（左右方向）全長に亘り形成された各把持部３２，４２により、短辺側側壁である前後側壁３２０，３２０及び前後側壁４２０，４２０の強度が確保される。更に、本体側把持部３２に沿う位置に備えられ、他の位置に備えられたものよりも幅方向寸法が大きい嵌合用凸部５により、把持部３２自体の強度が確保される。このため、重量物である米飯入り個別容器や弁当容器等を収納しても、持ち上げ時において容器１が変形しにくい。
【００５３】
そして前記構成の容器１は、容器本体３の側壁３１０，３２０における上側部分よりも下側部分の方につき側壁の厚みが大きいため、容器１のうちで特に被搬送物の重量がかかる容器本体３の下部が補強される。また、合成樹脂粒子の発泡倍率が３０倍以下であることにより、少なくとも容器本体３を全体的に硬く丈夫なものとできる。
【００５４】
本実施形態の容器１は、突出部３０ｂの下面３００ｂを床面に直接載置するよう用いたり、あるいは下面３００ｂを他の容器１の蓋体４の天壁４０の表面４０ａ上に位置するように積み重ねて用いたりすることが可能である。
【００５５】
なお、本発明の容器には、前記で説明した学校給食用の米飯入り個別容器や弁当容器以外に、特に重量物である種々の物を被搬送物として収納可能である。
【符号の説明】
【００５６】
１…容器、２ａ…開口部、３…容器本体、４…蓋体、５…嵌合用凸部、６…嵌合用凹部、３０…底壁、３１…側壁、４０…天壁、４１…蓋体側壁、３２…把持部（容器本体側）、４２…把持部（蓋体側）
【図１】
2014172636.tif 000003
【図２】
2014172636.tif 000004
【図３】
2014172636.tif 000005